(57)【要約】【課題】プラント全体図の中でのアクセス性および画面の操作性を向上させる。【解決手段】実施形態によれば、プラント監視システム２００は、監視制御入出力装置１０と、プラント機器状態データを収納するプラントデータベース１４０と、画面データを収納する画面データベース１５０と、画面表示の内容を作成する画面表示処理部１２０を有する。画面データベース１５０は、プラント全体図に関する設備データを収納する基本画面データ１５１と、設備データの表示内容を規定したシンボル画面データ１５２と、プラント機器とプラント全体図内の座標位置との対応関係を定義するＩ／Ｏ情報データ１５３を有する。画面表示処理部１２０は、表示要求されたプラント機器を検索し検索後画面を表示するための画面表示データを作成し、監視制御入出力装置１０は画面表示データに基づいて画面表示する。【選択図】図１
2015191506.tif 000002
【特許請求の範囲】
【請求項１】
外部要求を受け付けるとともにプラントを構成する複数のプラント機器の状態の画面表示が可能な監視制御入出力装置と、
前記複数のプラント機器それぞれの状態に関するプラント機器状態データを収納するプラントデータベースと、
前記画面表示のために用いられる画面データを収納する画面データベースと、
前記外部要求に基づき、前記プラント機器状態データおよび前記画面データを用いて、前記画面表示の内容を作成するとともに、表示される画像の拡大、縮小および移動を可能とする画面表示処理部と、
を備え、
前記画面データベースは、
前記プラントの設備系統図を一つの図にまとめたプラント全体図に関する設備データと描画データとを収納する基本画面データと、
前記設備データのそれぞれについて、前記画面表示の縮尺に応じた表示内容を規定したシンボル画面データと、
前記複数のプラント機器と前記プラント全体図内の座標位置との対応関係を定義するＩ／Ｏ情報データと、
を有し、
前記画面表示処理部は、前記複数のプラント機器のうちから前記外部要求により表示要求された少なくとも一つのプラント機器を検索し、前記プラント全体図の一部として当該表示要求されたプラント機器を含む検索後画面を表示するための画面表示データを作成し、
前記監視制御入出力装置は前記検索後画面の画面表示データに基づいて画面表示する、
ことを特徴とするプラント監視システム。
【請求項２】
前記画面表示処理部は、前記表示要求されたプラント機器およびその周辺を選択し前記プラント機器状態データに基づいて前記検索後画面の表示データを作成することを特徴とする請求項１に記載のプラント監視システム。
【請求項３】
前記複数のプラント機器の少なくとも一部のプラント機器のそれぞれと前記プラント全体図における当該プラント機器の座標との組み合わせをあらかじめ登録した個別登録検索データとして収納する個別登録検索データベースをさらに備え、
前記表示要求により前記少なくとも一つのプラント機器が選択されると、前記画面表示処理部は、前記設備データの中から、前記選択された少なくとも一つのプラント機器およびその周辺の部分を選択し、前記プラント機器状態データに基づいて前記検索後画面の画面表示データを作成することを特徴とする請求項１または請求項２に記載のプラント監視システム。
【請求項４】
前記プラント全体図において少なくとも一つのプラント機器を含む部分的範囲に部分範囲名称を付して、その部分範囲名称と前記プラント全体図における座標範囲との組み合わせをあらかじめ登録して範囲登録検索データとして収納する範囲登録検索データベースをさらに備え、
前記表示要求により前記部分範囲名称が選択されると、前記画面表示処理部は、前記設備データの中から、前記部分的範囲にある前記プラント機器を選択し、前記プラント機器状態データに基づいて前記検索後画面の画面表示データを作成することを特徴とする請求項１ないし請求項３のいずれか一項に記載のプラント監視システム。
【請求項５】
前記複数のプラント機器の中の一部の複数のプラント機器で構成する少なくとも一つのグループが登録されたグループ登録検索データベースをさらに備え、
前記表示要求により前記グループのうちの一つのグループが選択されると、前記画面表示処理部は、前記設備データの中から、当該選択されたグループに属する前記プラント機器それぞれに関する部分を選択し、前記プラント機器状態データに基づいて前記検索後画面の画面表示データを作成することを特徴とする請求項１ないし請求項４のいずれか一項に記載のプラント監視システム。
【請求項６】
前記検索後画面は、新たなウインドウに表示されることを特徴とする請求項１ないし請求項５のいずれか一項に記載のプラント監視システム。
【請求項７】
監視制御入出力装置が、画面データを読み込む画面データ読み込みステップと、
画面表示処理部が、前記画面データを用いてプラント全体の設備系統図を一つのプラント全体図にまとめたプラント全体図を作成するプラント全体図作成ステップと、
前記監視制御入出力装置が外部からの表示要求を読み込む外部要求読み込みステップと、
前記画面表示処理部が、外部からの表示要求によって要求されたプラント機器を検索し、当該プラント機器を含む検索後の画面を表示するための画面表示データを作成する画面表示データ作成ステップと、
前記画面表示データに基づいて前記監視制御入出力装置が前記画面を表示する表示ステップと、
を有することを特徴とするプラント監視方法。
【請求項８】
前記画面表示データ作成ステップは、登録検索の中のいずれか一つおよびその都度表示要求対象の前記プラント全体図における位置を入力する個別入力検索とから検索方法を選択するよう前記監視制御入出力装置が選択要求を表示するステップを有することを特徴とする請求項７に記載のプラント監視方法。
【請求項９】
前記画面表示データ作成ステップは、前記画面表示処理部が、前記プラント全体図に基づいてＩ／Ｏ情報データを作成するＩ／Ｏ情報データ作成ステップを有することを特徴とする請求項８に記載のプラント監視方法。
【請求項１０】
前記登録検索は、複数のプラント機器の少なくとも一部のプラント機器のそれぞれと前記プラント全体図における当該プラント機器の座標との組み合わせをあらかじめ登録した個別登録検索データとして収納する個別登録検索データベースを用いて行う個別登録検索を含むことを特徴とする請求項８または請求項９に記載のプラント監視方法。
【請求項１１】
前記登録検索は、前記プラント全体図において少なくとも一つのプラント機器を含む部分的範囲に部分範囲名称を付して、その部分範囲名称と前記部分的範囲の前記プラント全体図における座標範囲との組み合わせをあらかじめ登録して範囲登録検索データとして収納する範囲登録検索データベースを用いて行う範囲登録検索を含むことを特徴とする請求項８ないし請求項１０のいずれか一項に記載のプラント監視方法。
【請求項１２】
前記登録検索は、前記複数のプラント機器の中の一部の複数のプラント機器で構成する少なくとも一つのグループのグループ登録検索データが登録されたグループ登録検索データベースを用いて行うグループ登録検索を含むことを特徴とする請求項８ないし請求項１１のいずれか一項に記載のプラント監視方法。
【発明の詳細な説明】
【技術分野】
【０００１】
本発明の実施形態は、プラント監視システムおよびこれを用いたプラント監視方法に関する。
【背景技術】
【０００２】
従来、発電プラント等の監視システムにおける監視画面については、プラント全体が系統単位、機器単位などに分けられ、複数に分割した個別画面が設けられている。発電プラントなどのような大規模なプラントの場合、膨大な画面枚数となっている。このため、プラントの運転員が複数画面を表示してプラントの運転を行う際には、画面間の関連を意識しながら画面を選択／表示し、監視を行っている。
【０００３】
また、ＣＲＴサイズ、解像度等、表示装置の制約により、同時に表示できる画面数に限界がある。このため、多くの情報を表示する監視画面については、縮尺による視認性の低下を防止したい場合、あるいは監視対象を絞って監視したい場合などには、個別に専用画面を作成する必要があった。
【０００４】
このように従来のプラント監視システムでは、プラント運転に必要な情報を網羅しようとすると多くの画面が必要であり、複雑な画面構成を認識した上でプラントを運転する必要があった。
【０００５】
このような課題を解決するために、プラント全体を１枚の画面で表現し、画面枚数を減らし、画面構成を意識することなくプラント監視できる画面表示方法が特許文献１に記載されている。特許文献１では、プラント全体を１枚の画面として作成し、画面縮尺や表示レベルにより、表示されるシンボルのサイズや色、表示／非表示、シンボルの詳細／簡略化を選択して表示し、画面の視認性を保つ技術が開示されている。
【先行技術文献】
【特許文献】
【０００６】
【特許文献１】特開２００８−３１０６８８号公報
【発明の概要】
【発明が解決しようとする課題】
【０００７】
特許文献１で開示されている画面表示方法では、プラント全体を単一画面化することから、画面のどの位置に監視対象となるセンサや機器等が配置されているかを認識する必要がある。このため、監視対象となるエリアを適切な表示レベルで表示するには、経験と知識が必要となる。また、単一画面化された中の情報は膨大であり、この中からユーザーが監視したい箇所に画面を合わせるのには、時間を要するという問題があった。
【０００８】
そこで、本発明の実施形態は、プラント全体図の中で目的とする部分へのアクセス性および画面に関する操作性を向上させることを目的とする。
【課題を解決するための手段】
【０００９】
上述の目的を達成するため、本実施形態に係るプラント監視システムは、外部要求を受け付けるとともにプラントを構成する複数のプラント機器の状態の画面表示が可能な監視制御入出力装置と、前記複数のプラント機器それぞれの状態に関するプラント機器状態データを収納するプラントデータベースと、前記画面表示のために用いられる画面データを収納する画面データベースと、前記外部要求に基づき、前記プラント機器状態データおよび前記画面データを用いて、前記画面表示の内容を作成するとともに、表示される画像の拡大、縮小および移動を可能とする画面表示処理部と、を備え、前記画面データベースは、前記プラントの設備系統図を一つの図にまとめたプラント全体図に関する設備データと描画データとを収納する基本画面データと、前記設備データのそれぞれについて、前記画面表示の縮尺に応じた表示内容を規定したシンボル画面データと、前記複数のプラント機器と前記プラント全体図内の座標位置との対応関係を定義するＩ／Ｏ情報データと、を有し、前記画面表示処理部は、前記複数のプラント機器のうちから前記外部要求により表示要求された少なくとも一つのプラント機器を検索し、前記プラント全体図の一部として当該表示要求されたプラント機器を含む検索後画面を表示するための画面表示データを作成し、前記監視制御入出力装置は前記検索後画面の画面表示データに基づいて画面表示する、ことを特徴とする。
【００１０】
また、本実施形態に係るプラント監視方法は、監視制御入出力装置が、画面データを読み込む画面データ読み込みステップと、画面表示処理部が、前記画面データを用いてプラント全体の設備系統図を一つのプラント全体図にまとめたプラント全体図を作成するプラント全体図作成ステップと、前記監視制御入出力装置が外部からの表示要求を読み込む外部要求読み込みステップと、前記画面表示処理部が、外部からの表示要求によって要求されたプラント機器を検索し、当該プラント機器を含む検索後の画面を表示するための画面表示データを作成する画面表示データ作成ステップと、前記画面表示データに基づいて前記監視制御入出力装置が前記画面を表示する表示ステップと、を有することを特徴とする。
【発明の効果】
【００１１】
本発明の実施形態によれば、プラント全体図の中で目的とする部分へのアクセス性および画面に関する操作性を向上させることができる。
【図面の簡単な説明】
【００１２】
【図１】第１の実施形態に係るプラント監視システムの構成を示すブロック図である。
【図２】第１の実施形態に係るプラント監視システムのプラント全体図の例の一部を示す系統図である。
【図３】第１の実施形態に係るプラント監視システムのシンボル画面データの例を示す一覧表である。
【図４】第１の実施形態に係るプラント監視システムのＩ／Ｏ情報データの例を示すテーブルである。
【図５】第１の実施形態に係るプラント監視方法のステップを示すフロー図である。
【図６】第１の実施形態に係るプラント監視方法における表示レベル調整ステップでの調整前の表示画面を示す図である。
【図７】第１の実施形態に係るプラント監視方法における表示レベル調整ステップでの調整後の表示画面を示す図である。
【図８】第１の実施形態に係るプラント監視方法における検索ステップでの検索画面を示す図である。
【図９】第１の実施形態に係るプラント監視方法における検索ステップでの検索結果の表示画面を示す図である。
【図１０】第２の実施形態に係るプラント監視システムの構成を示すブロック図である。
【図１１】第２の実施形態に係るプラント監視システムの個別登録検索データの例を示すテーブルである。
【図１２】第２の実施形態に係るプラント監視方法のステップを示すフロー図である。
【図１３】第２の実施形態に係るプラント監視方法における個別登録検索の初期の表示画面を示す図である。
【図１４】第２の実施形態に係るプラント監視方法における個別登録検索の選択画面を示す図である。
【図１５】第３の実施形態に係るプラント監視システムの構成を示すブロック図である。
【図１６】第３の実施形態に係るプラント監視システムの範囲登録検索のための範囲登録検索データの例を示すテーブルである。
【図１７】第３の実施形態に係るプラント監視方法のステップを示すフロー図である。
【図１８】第３の実施形態に係るプラント監視方法における範囲登録検索の初期の表示画面を示す図である。
【図１９】第３の実施形態に係るプラント監視方法における範囲登録検索の結果抜き取られた別ウインドウの画面を示す図である。
【図２０】第３の実施形態に係るプラント監視方法における範囲登録検索の選択画面を示す図である。
【図２１】第４の実施形態に係るプラント監視システムの構成を示すブロック図である。
【図２２】第４の実施形態に係るプラント監視システムのグループ登録検索のためのグループ登録検索データの例を示すテーブルである。
【図２３】第４の実施形態に係るプラント監視方法のステップを示すフロー図である。
【図２４】第４の実施形態に係るプラント監視方法におけるグループ登録検索の結果検索された結果を表示する別ウインドウの画面を示す図である。
【図２５】第４の実施形態に係るプラント監視方法におけるグループ登録検索データの登録、変更の画面を示す図である。
【発明を実施するための形態】
【００１３】
以下、図面を参照して、本発明の実施形態に係るプラント監視システムおよびプラント監視方法について説明する。ここで、互いに同一または類似の部分には、共通の符号を付して、重複説明は省略する。
【００１４】
［第１の実施形態］
図１は、第１の実施形態に係るプラント監視システムの構成を示すブロック図である。プラント監視システム２００は、監視制御入出力装置１０および監視制御サーバー１００を有する。監視制御入出力装置１０は、外部からの運転員などの操作による外部要求を受け付ける入力部（図示せず）と、監視制御サーバー１００から出力された画面表示データに基づいて画面表示する出力部（図示せず）を有する。
【００１５】
監視制御サーバー１００は、画面操作入力処理部１１０、画面表示処理部１２０、プロセス入出力処理部１３０、プラントデータベース１４０、および画面データベース１５０を有する。画面操作入力処理部１１０は、監視制御入出力装置１０で受け付けた外部要求を入力として受け入れる。外部要求が、プラント機器１（複数）の動作に関する起動、停止、開閉などの指令、制御設定に関する指令など、プラント機器１への制御情報の場合は、プロセス入出力処理部１３０に出力する。また、外部要求が、監視制御入出力装置１０の画面表示に関する要求の場合は、画面表示処理部１２０に出力する。
【００１６】
プロセス入出力処理部１３０は、また、外部要求に従ってプロセス入出力装置５を介して制御情報をプラント機器１に出力する。また、プロセス入出力処理部１３０は、プロセス入出力装置５を介してプラント機器１の状態に関する情報をそれぞれのサンプリング時間ごとに受け入れてプラントデータベース１４０に出力する。プラントデータベース１４０は、プロセス入出力処理部１３０から受け入れたプラント機器１の状態に関する最新のプラントデータを収納する。なお、プラントデータベース１４０は、各プラント機器１の最新の情報データのみではなく、時間的な変化のトレンドを把握できるように、ある時間帯の情報データを収納することでもよい。
【００１７】
ここで、プラント機器１とは、プラントにおける機器、装置、補機類のポンプ、弁、配管などのほか、制御器、計測器なども含むものとする。したがって、プラント機器１の状態とは、機器の運転、停止、弁の開閉などの運転状態のほかに、たとえば、制御器の設定値および制御出力値、圧力計、流量計、温度計、開度計その他の計測器の計測値などを含んでいる。
【００１８】
画面データベース１５０は、監視制御入出力装置１０での画面表示のために必要なデータを保管する。画面データベース１５０は、基本画面データ１５１、シンボル画面データ１５２、およびＩ／Ｏ情報データ１５３を有する。基本画面データ１５１、シンボル画面データ１５２およびＩ／Ｏ情報データ１５３は、外部入力として監視制御入出力装置１０で読み込まれ、監視制御入出力装置１０から画面データベース１５０に送られる。
【００１９】
基本画面データ１５１は、対象とするプラント全体の設備系統図を一つの図にまとめたプラント全体図を作成するために必要な基本的なデータであり、設備データと描画データとがある。図２は、第１の実施形態に係るプラント監視システムのプラント全体図の例の一部を示す系統図である。
【００２０】
設備データとは、このように系統図を作成するために必要なそれぞれのプラント機器１、プラント機器１相互の接続関係、位置関係、流体の流れの方向などの情報からなっている。描画データは、固定画面データ、シンボル配置データから構成する。固定画面データは、弁やポンプなどを結ぶ配管や線、テキスト等を配置した画面で、座標や縦横のサイズ、色やフォント等の情報を定義している。シンボル配置データは、弁やポンプ、センサ等のプラントの監視対象となる機器の入力信号に対応したシンボルの座標や縦横のサイズ等の情報を定義している。
【００２１】
図３は、第１の実施形態に係るプラント監視システムのシンボル画面データの例を示す一覧表である。シンボル画面データ１５２は、図３に示すように、プラント機器１のそれぞれについて画面表示の縮尺に応じた表示内容を規定している。図３の表において、この場合の表示レベルは縮尺のレベルを示しており、表示レベルが大きいほど画像が縮小される方向である。したがって、たとえば、図３のシンボルＩＤがＶＡＲ０９９の計器出力は、表示レベルが１あるいは２などの縮小レベルが小さい場合には、ゲージの図の表示がなされるが、表示レベルが３以上の縮小度に至ると、画面上のスペースが小さくても済む数値表示となる。
【００２２】
図４は、Ｉ／Ｏ情報データの例を示すテーブルである。Ｉ／Ｏ情報データ１５３は、Ｉ／Ｏ番号、座標Ｘ、座標Ｙ、およびシンボルを属性として有する。Ｉ／Ｏ番号は、各プラント機器１の情報に付された番号である。このＩ／Ｏ番号が付された情報がプロセス入出力装置５を介して監視制御サーバー１００とプラント機器１との間で授受される。
【００２３】
座標Ｘおよび座標Ｙは、基本画面データ１５１上に設定されているプラント全体図内の座標位置である。座標Ｘ、座標Ｙの基準点、すなわち座標Ｘ、座標Ｙそれぞれが０となる点は、たとえばプラント全体図が長方形であれば、その頂点の一つとすればよい。次に、シンボルは、各プラント機器１に対応したシンボル情報の表示である。このように、Ｉ／Ｏ情報データ１５３は、図形情報などのシンボル情報と各プラント機器１からの入出力信号（Ｉ／Ｏ）との対応関係を規定する。
【００２４】
次に図１に示す画面表示処理部１２０は、監視制御入出力装置１０が外部からの画面表示要求を読み取った場合、画面操作入力処理部１１０を経由して受け入れたこの画面表示要求の内容に基づいて、画面データベース１５０に収納されているデータを用いて画面表示データを作成し、監視制御入出力装置１０に出力する。また、画面表示処理部１２０は、表示要求に応じて、表示される画像の拡大、縮小および移動を可能とする画面表示データを作成する。
【００２５】
図５は、第１の実施形態に係るプラント監視方法のステップを示すフロー図である。プラント監視方法のステップは、準備ステップＳ１００と監視ステップＳ２００に大別される。
【００２６】
まず、監視制御入出力装置１０が、画面データ入力、すなわち基本画面データ１５１、シンボル画面データ１５２およびＩ／Ｏ情報データ１５３の各入力を読み込む（ステップＳ０１）。読み込まれたこれらの画面データは、画面データベース１５０に格納される。
【００２７】
次に、画面表示処理部１２０は、画面データベース１５０に格納されている基本画面データ１５１、シンボル画面データ１５２、およびＩ／Ｏ情報データ１５３を用いて、プラント全体を１枚の系統図にまとめたプラント全体図を作成する（ステップＳ０２）。
【００２８】
以上が準備ステップＳ１００である。次に、監視ステップＳ２００においては、監視制御入出力装置１０の画面が表示されている状態である。ここで、画面の表示レベル、具体的には、画面の縮尺を調整して、望む範囲を表示する画面とする（ステップＳ０３）。
【００２９】
図６は、表示レベル調整ステップでの調整前の表示画面を示す図である。図６では縮尺は１００％となっている。図７は、表示レベル調整ステップでの調整後の表示画面を示す図である。図７は、縮尺が２５％に設定され、表示範囲が広くなっており、広い範囲から監視対象を選択できる。
【００３０】
次に、監視制御入出力装置１０が外部要求を読み込む（ステップＳ０４）。次に、画面表示処理部１２０は、外部要求による検索は登録検索か否かを確認する（ステップＳ０５）。ここで、登録検索とは、事前登録による検索方法である。本実施形態の場合は、Ｉ／Ｏ情報データ１５３を用いた入力点番号による検索である。登録検索ではないと判定された（ステップＳ０５  ＮＯ）場合には、広い範囲を表示する画面、すなわち縮小された画面から対象範囲を、直接、たとえば監視制御入出力装置１０の表示画面上で目視によって検索し、見つけた場合はその範囲をスクロール等することによって選択する（ステップＳ０６）。この結果、画面表示処理部１２０は、検索後画面データを作成し、監視制御入出力装置１０は検索後画面を表示する。
【００３１】
図８は、検索ステップでの検索画面を示す図である。登録検索であると判定された（ステップＳ０５  ＹＥＳ）場合には、入力信号リストを用いた検索が行われる。この場合は、検索対象候補が、Ｉ／Ｏ番号に従って画面に表示されるので、この中から検索対象を選択することができる。あるいは、入力点番号または入力点名称を直接入力することによって検索対象を指定してもよい。
【００３２】
図９は、第１の実施形態に係るプラント監視方法における検索ステップでの検索結果の表示画面を示す図である。すなわち、検索対象の弁を選択あるいは指定した場合、図９に示すように画面の中央にその弁が破線で囲まれて表示される。
【００３３】
以上のような本実施形態によれば、プラント全体図の中で目的とする部分を検索対象として取り扱うことによって、プラント全体図の構成を意識することなくその目的とする部分を表示させることができ、アクセス性の向上を図ることができる。また、登録検索を用いることによって、目的とする対象位置を正確にとらえて表示させることができ、画面に関する操作性の向上を図ることができる。
【００３４】
［第２の実施形態］
図１０は、第２の実施形態に係るプラント監視システムの構成を示すブロック図である。本実施形態は、第１の実施形態の変形である。本第２の実施形態における監視制御サーバー１００は、個別登録検索データベース１６１を有する。個別登録検索データベース１６１は、図１０で矢印を省略しているが、外部入力された個別登録検索データを監視制御入出力装置１０から受け入れて収納する。
【００３５】
図１１は、個別登録検索データの例を示すテーブルである。各データは、登録番号、登録名、座標Ｘ、座標Ｙ、および表示レベルを属性として有する。登録番号は一貫番号である。登録名は、検索対象を表す名称であり、重複しなければ任意の名称を付してもよい。座標Ｘ、座標Ｙは、検索対象のプラント全体図における位置の座標である。表示レベルは、縮尺を示している。
【００３６】
図１２は、第２の実施形態に係るプラント監視方法のステップを示すフロー図である。第１の実施形態における手順と異なる部分についてのみ説明する。準備ステップＳ１０１においては、ステップＳ０２のプラント全体図の作成の後に、監視制御入出力装置１０が個別登録検索データを読み込み、監視制御入出力装置１０から送られた個別登録検索データを個別登録検索データベース１６１が収納する（ステップＳ２１）。
【００３７】
また、監視ステップＳ２０１において、画面表示処理部１２０が登録検索であることを確認した場合（ステップＳ０５  ＹＥＳ）、後述する検索方法の選択の中から個別登録検索を選択すると、個別登録検索により検索を行う（ステップＳ２２）。検索の結果、監視制御入出力装置１０が検索後画面を表示する（ステップＳ２３）。
【００３８】
図１３は、個別登録検索のための個別登録検索の初期の表示画面を示す図である。すなわち、ステップＳ２２の初期における監視制御入出力装置１０の画面である。画面表示処理部１２０が登録検索であることを確認した場合（ステップＳ０５  ＹＥＳ）、図１３の最も左の表示Ｂ１がなされ、検索の種類が問われる。ここで、個別登録検索を指定すると右側のボックスＢ２で個別登録検索データとして登録されている項目の名称が表示される。この中から目的とする検索対象を選択することによって、画面表示処理部１２０による検索が行われ、検索後画面が表示される。
【００３９】
図１４は、第２の実施形態に係るプラント監視方法における個別登録検索の選択画面を示す図である。図１３に示す初期画面において検索対象を選択すると、同時に図１４の選択画面のウインドウが表示される。選択画面には、登録、移動、削除の選択ボタンが表示されており、これらが選択可能である。表示画面中で、表示対象や表示範囲を変更した後に、個別登録検索データに登録されていない対象の中から、目的とする対象の登録名を入力して、登録を選択すると、そのときに表示されている画面が登録される。
【００４０】
また、個別登録検索データに登録されている対象の登録名を入力して、移動を選択すると、プラント全体図中の表示部分が移動して、入力された登録名を有する対象を表示する画面となる。また、個別登録検索データに登録されている対象の登録名を入力して、削除を選択すると、その登録されているデータが削除される。
【００４１】
このように、監視制御入出力装置１０が改めて改訂された個別登録検索データの一式を読み込まなくとも、監視制御入出力装置１０の表示画面から個々の個別登録検索データの追加、削除により、個別登録検索データベース１６１内の個別登録検索データの変更が可能である。
【００４２】
以上のように、本実施形態においては、プラント機器１の正式な名称以外に、わかりやすい名称を用いることもでき、目的とする部分へのアクセス性の向上、画面に関する操作性の向上を図ることができる。
【００４３】
［第３の実施形態］
図１５は、第３の実施形態に係るプラント監視システムの構成を示すブロック図である。本実施形態は、第１の実施形態の変形である。本第３の実施形態における監視制御サーバー１００は、範囲登録検索データベース１７１を有する。範囲登録検索データベース１７１は、図１５で矢印を省略しているが、外部入力された範囲登録検索データを監視制御入出力装置１０から受け入れて収納する。
【００４４】
図１６は、範囲登録検索のための範囲登録検索データの例を示すテーブルである。各データは、登録番号、登録名、座標Ｘ１、座標Ｙ１、座標Ｘ２、座標Ｙ２、および表示レベルを属性として有する。登録番号は一貫番号である。登録名は、検索対象を表す名称であり、重複しなければ任意の名称を付してもよい。座標Ｘ１、座標Ｙ１、座標Ｘ２、座標Ｙ２は、プラント全体図における範囲を示す。表示レベルは、縮尺を示している。すなわち、登録名に対して、検索後画面として表示される範囲とその縮尺が規定されている。
【００４５】
図１７は、第３の実施形態に係るプラント監視方法のステップを示すフロー図である。第１の実施形態における手順と異なる部分についてのみ説明する。準備ステップＳ１０２においては、ステップＳ０２のプラント全体図の作成の後に、監視制御入出力装置１０が範囲登録検索データを読み込み、監視制御入出力装置１０から送られた範囲登録検索データを範囲登録検索データベース１７１が収納する（ステップＳ３１）。
【００４６】
また、監視ステップＳ２０２において、画面表示処理部１２０が登録検索であることを確認した場合（ステップＳ０５  ＹＥＳ）、範囲登録検索により検索を行う（ステップＳ３２）。検索の結果、監視制御入出力装置１０が検索後画面を表示する（ステップＳ３３）。
【００４７】
図１８は、範囲登録検索の初期の表示画面を示す図である。すなわち、ステップＳ３２の初期における監視制御入出力装置１０の画面である。画面表示処理部１２０が登録検索であることを確認した場合（ステップＳ０５  ＹＥＳ）、図１８の最も左の表示Ｂ１がなされ、検索の種類が問われる。ここで、範囲登録検索を指定すると右側のボックスＢ３で範囲登録検索データとして登録されている項目の名称が表示される。この中から目的とする検索対象を選択することによって、画面表示処理部１２０による検索が行われ、検索後画面が表示される。この際、検索後画面は、別ウインドウとして表示される。図１９は、範囲登録検索の結果抜き取られた別ウインドウの画面を示す図である。
【００４８】
なお、本実施形態においては、検索後画面が別ウインドウに表示されている例を示したが、図１８に示す元の画面が検索後画面となることでもよい。
【００４９】
図２０は、第３の実施形態に係るプラント監視方法における範囲登録検索の選択画面を示す図である。図１８に示す初期画面において検索対象を選択すると、同時に図２０の選択画面のウインドウが表示される。選択画面には、登録、移動、削除の選択ボタンが表示されており、これらを選択可能である。表示画面中で、表示対象や表示範囲を変更した後に、図１８中の太い実線の枠に示すように範囲を指定した上で、この対象範囲の登録名を入力して、登録を選択すると、枠で囲まれた範囲が登録される。
【００５０】
また、範囲登録検索データに登録されている対象の登録名を入力して、移動を選択すると、プラント全体図中の表示部分が移動して、入力された登録名を有する範囲を表示する画面となる。また、個別登録検索データに登録されている範囲の登録名を入力して、削除を選択すると、その登録されているデータが削除される。
【００５１】
このように、監視制御入出力装置１０が改めて改訂された範囲登録検索データの一式を読み込まなくとも、監視制御入出力装置１０の表示画面から個々の範囲登録検索データの追加、削除により、範囲登録検索データベース１７１内の個別登録検索データの変更が可能である。
【００５２】
以上のように、本実施形態によって、目的とする部分へのアクセス性の向上、画面に関する操作性の向上を図ることができる。
【００５３】
［第４の実施形態］
図２１は、第４の実施形態に係るプラント監視システムの構成を示すブロック図である。本実施形態は、第１の実施形態の変形である。本第４の実施形態における監視制御サーバー１００は、グループ登録検索データベース１８１を有する。グループ登録検索データベース１８１は、図２１で矢印を省略しているが、外部入力されたグループ登録検索データを監視制御入出力装置１０から受け入れて収納する。
【００５４】
図２２は、グループ登録検索のためのグループ登録検索データの例を示すテーブルである。各データは、グループ番号、グループ名称、番号、およびＩ／Ｏ番号を属性として有する。グループ番号、グループ名称は、それぞれ、グループの一貫番号および名称である。グループ名称は、重複しなければ任意の名称を付してもよい。番号は、それぞれのグループにおける各プラント機器１の一貫番号である。Ｉ／Ｏ番号は、Ｉ／Ｏ番号は、各プラント機器１の情報に付された番号である。
【００５５】
図２３は、第４の実施形態に係るプラント監視方法のステップを示すフロー図である。第１の実施形態における手順と異なる部分についてのみ説明する。準備ステップＳ１０３においては、ステップＳ０２のプラント全体図の作成の後に、監視制御入出力装置１０がグループ登録検索データを読み込み、監視制御入出力装置１０から送られたグループ登録検索データをグループ登録検索データベース１８１が収納する（ステップＳ４１）。
【００５６】
また、監視ステップＳ２０３において、画面表示処理部１２０が登録検索であることを確認した場合（ステップＳ０５  ＹＥＳ）、後述する検索方法の選択の中からグループ登録検索を選択すると、グループ登録検索により検索を行う（ステップＳ４２）。検索の結果、監視制御入出力装置１０が検索後画面を表示する（ステップＳ４３）。
【００５７】
図２４は、グループ登録検索の結果検索された結果を表示する別ウインドウの画面を示す図である。図２５では、８つのプラント機器１で構成されるグループを選択した場合の例を示している。ここに示すように、選択されたグループを構成するそれぞれのプラント機器１を中心にたとえば縦２００×横２００ドット程度のミニ画面が分割表示される。すなわち、グループを構成する複数のプラント機器１の状態が一つの画面で表示される。なお、本実施形態においては、検索後画面が別ウインドウに表示されている例を示したが、図２４に示す元の画面が検索後画面となることでもよい。
【００５８】
図２５は、グループ登録検索データの登録、変更の画面を示す図である。画面表示処理部１２０が登録検索であることを確認した場合（ステップＳ０５  ＹＥＳ）、同時に図２４の登録／変更画面のウインドウが表示される。登録／変更画面の右側には、グループ登録検索データベース１８１に登録されているグループ登録検索データが一貫番号順に表示される。
【００５９】
この中から目的のグループ登録検索データを選択すると、そのグループ登録検索データを構成するプラント機器１のＩ／Ｏ番号と名称が表示される。ここで、ＯＫを押すことによって、画面表示処理部１２０による検索が行われ、検索後画面が表示される。この際、検索後画面は、別ウインドウとして表示される。また、表示されたＩ／Ｏ番号を指定して、変更を選択することによって、分割表示されたミニ画面の表示内容を選択したＩ／Ｏ番号に対応するプラント機器１に変更することができる。
【００６０】
このように、監視制御入出力装置１０が改めて改訂されたグループ登録検索データの一式を読み込まなくとも、監視制御入出力装置１０の表示画面から個々のグループ登録検索データの追加、削除により、グループ登録検索データベース１８１内の個別登録検索データの変更が可能である。
【００６１】
以上のように本実施形態においては、ある運転操作を行う場合に、その操作によって状態が変化する複数のプラント機器１をグループ登録検索データベース１８１に登録しておくことにより、簡易な画面操作で、１つの表示画面で確認することができる。このように、目的とする部分へのアクセス性の向上、画面に関する操作性の向上を図ることができる。さらに、習熟した運転員が運転状態に応じて監視する監視対象を追加することによって、経験が浅い運転員でも監視ポイントを見落とすことがなくなり、監視対象を取り違えるといったミスの発生の防止も図ることができ、安全性を向上させることができる。
【００６２】
［その他の実施形態］
以上、本発明のいくつかの実施形態を説明したが、これらの実施形態は、例として提示したものであり、発明の範囲を限定することは意図していない。また、各実施形態の特徴を組み合わせてもよい。たとえば、第２の実施形態ないし第４の実施形態はそれぞれ第１の実施形態の変形であるが、第２の実施形態の特徴である個別登録検索、第３の実施形態の特徴である範囲登録検索、第４の実施形態の特徴であるグループ登録検索の組み合わせ、あるいはこれらすべてを組み合わせた実施形態でもよい。
【００６３】
さらに、これらの実施形態は、その他の様々な形態で実施されることが可能であり、発明の要旨を逸脱しない範囲で、種々の省略、置き換え、変更を行うことができる。
【００６４】
これら実施形態やその変形は、発明の範囲や要旨に含まれると同様に、特許請求の範囲に記載された発明とその均等の範囲に含まれるものである。
【符号の説明】
【００６５】
１…プラント機器、５…プロセス入出力装置、１０…監視制御入出力装置、１００…監視制御サーバー、１１０…画面操作入力処理部、１２０…画面表示処理部、１３０…プロセス入出力処理部、１４０…プラントデータベース、１５０…画面データベース、１５１…基本画面データ、１５２…シンボル画面データ、１５３…Ｉ／Ｏ情報データ、１６１…個別登録検索データベース、１７１…範囲登録検索データベース、１８１…グループ登録検索データベース、２００…プラント監視システム
【図１】
2015191506.tif 000003
【図２】
2015191506.tif 000004
【図３】
2015191506.tif 000005
【図４】
2015191506.tif 000006
【図５】
2015191506.tif 000007
【図６】
2015191506.tif 000008
【図７】
2015191506.tif 000009
【図８】
2015191506.tif 000010
【図９】
2015191506.tif 000011
【図１０】
2015191506.tif 000012
【図１１】
2015191506.tif 000013
【図１２】
2015191506.tif 000014
【図１３】
2015191506.tif 000015
【図１４】
2015191506.tif 000016
【図１５】
2015191506.tif 000017
【図１６】
2015191506.tif 000018
【図１７】
2015191506.tif 000019
【図１８】
2015191506.tif 000020
【図１９】
2015191506.tif 000021
【図２０】
2015191506.tif 000022
【図２１】
2015191506.tif 000023
【図２２】
2015191506.tif 000024
【図２３】
2015191506.tif 000025
【図２４】
2015191506.tif 000026
【図２５】
2015191506.tif 000027